(57)【特許請求の範囲】
【請求項１】
各放送チャンネルで放送される放送番組の一覧を表示し、この表示された一覧を選択することによって該放送番組の視聴または記録予約等の操作が可能であって、該記録予約によって記録された放送番組の番組情報から構成される仮想チャンネルを生成し前記一覧に加えて表示することを特徴とする番組記録再生装置。
【請求項２】
各放送チャンネルで放送される放送番組の一覧を表示し、この表示された一覧を選択することによって該放送番組の視聴または記録予約等の操作が可能であって、該記録予約によって記録される予定の放送番組の番組情報から構成される仮想チャンネルを生成し前記一覧に加えて表示することを特徴とする番組記録再生装置。
【請求項３】
前記仮想的なチャンネルを生成する際に、この仮想的なチャンネルに含まれる放送番組を記録日時順に並べることを特徴とする請求項１または２に記載の番組記録再生装置。
【請求項４】
前記記録予約によって記録された番組の再生履歴を保持しておき、前記仮想的なチャンネルを生成する際に、各記録予約によって記録された番組の前記再生履歴に基づき、既視聴か未視聴かを分類して並べることを特徴とする請求項１に記載の番組記録再生装置。
【請求項５】
該記録済番組の再生を終了したときの番組情報とその時間的位置を保持しておき、前記仮想的なチャンネルを表示する際に、その仮想的なチャンネルにおける記録済番組の最後に再生された位置を前記放送チャンネルの一覧表示の時間軸表示における現在時刻と合わせることを特徴とする請求項１または３または４のいずれか一項に記載の番組記録再生装置。
【請求項６】
各放送チャンネルで放送される放送番組に関する番組情報を抽出し管理する放送番組情報管理手段と、前記放送番組情報管理手段を参照することによって、既に記録された番組や記録予約をした番組の番組情報を記録し管理する記録番組情報管理手段と、前記放送番組情報管理手段を参照することによって、前記放送番組に関する番組情報を抽出し該番組情報に基づく番組表を作成して表示すると共に、前記記録番組情報管理手段を参照することによって、既に記録された番組や記録予約をした番組の番組情報から構成される仮想的なチャンネルを生成し、作成された前記番組表に前記仮想的なチャンネルを加えて表示する番組ガイド表示手段とを有して構成されることを特徴とする番組記録再生装置。
【請求項７】
作成された番組表から放送番組の視聴または記録予約の操作、記録番組の再生等の操作が可能であることを特徴とする請求項６記載の番組記録再生装置。
【請求項８】
前記番組ガイド表示手段は、仮想的なチャンネルを生成する際に、記録された番組や記録予約をした番組の番組情報をその記録日時順に並べることを特徴とする請求項６または７記載の番組記録再生装置。
【請求項９】
前記記録番組情報管理手段は、各記録番組についての再生履歴を記憶しておき、前記番組ガイド表示手段は、仮想的なチャンネルを生成する際に前記記録番組情報管理手段が記憶している再生履歴に基づき、各記録番組が既視聴か未視聴かを分類して表示することを特徴とする請求項６ないし８のいずれか一項に記載の番組記録再生装置。
【請求項１０】
前記記録番組情報管理手段は、前回再生を終了した時の記録番組とその時間位置を記憶し、前記番組ガイド表示手段は、前記記録番組情報管理手段を参照することによって、前記記録番組情報から構成される仮想的なチャンネルを表示する際に、その仮想的なチャンネルにおける記録済番組の中で最後に再生された位置を、前記番組表の時間軸表示における現在時刻と合わせることを特徴とする請求項６ないし９のいずれか一項に記載の番組記録再生装置。
【請求項１１】
各放送チャンネルで放送される放送番組の一覧を表示し、この表示された一覧を選択することによって該放送番組の視聴または記録予約の操作が可能であって、該記録予約によって記録された放送番組や該記録予約によって記録される予定の放送番組の番組情報から構成される仮想チャンネルを生成して前記一覧に加えて表示することを特徴とする番組記録再生方法。
【請求項１２】
前記仮想的なチャンネルを生成する際に、この仮想的なチャンネルに含まれる放送番組を記録日時順に並べることを特徴とする請求項１１記載の番組記録再生方法。
【請求項１３】
前記記録予約によって記録された番組の再生履歴を保持しておき、前記仮想的なチャンネルを生成する際に、各記録予約によって記録された番組の前記再生履歴に基づき、既視聴か未視聴かを分類して並べることを特徴とする請求項１１または１２記載の番組記録再生方法。
【請求項１４】
該記録済番組の再生を終了したときの記録番組情報とその時間的位置を保持しておき、前記仮想的なチャンネルを表示する際に、その仮想的なチャンネルにおける最後に再生された位置を、前記放送チャンネルの一覧の時間軸表示における現在時刻と合わせることを特徴とする請求項１１ないし１３のいずれか一項に記載の番組記録再生方法。
【請求項１５】
コンピュータに、各放送チャンネルで放送される放送番組に関する番組情報を放送波から抽出し管理する放送番組情報管理機能と、前記放送番組情報管理手段を参照することによって、既に記録された番組や記録予約をした番組の番組情報を記録し管理する記録番組情報管理機能と、前記放送番組情報管理手段を参照することによって、前記放送番組に関する番組情報を抽出し該番組情報に基づく番組表を作成して表示すると共に、前記記録番組情報管理手段を参照することによって、既に記録された番組や記録予約をした番組の番組情報から構成される仮想的なチャンネルを生成し、作成された前記番組表に前記仮想的なチャンネルを加えて表示する番組ガイド表示機能と、を実現するための番組記録再生プログラムを記録したコンピュータ読み取り可能な記録媒体。
【発明の詳細な説明】
【０００１】
【発明の属する技術分野】
本発明はテレビジョン放送番組を記録し再生できる番組記録再生装置及び方法並びに番組記録再生プログラムを記録したコンピュータ読み取り可能な記録媒体に関する。特に、放送番組の時刻や放送番組に関する情報を利用者に提示することで番組選択や記録予約を容易にする電子番組ガイドにおいて、放送番組だけでなく記録媒体に蓄えられた番組、または、これから記録媒体に蓄えられる予定の番組の情報も区別なく表示し操作することができる番組記録再生装置および方法並びに番組記録再生プログラムを記録したコンピュータ読み取り可能な記録媒体に関する。
【０００２】
【従来の技術】
近年、ＭＰＥＧなどのデジタル映像音声圧縮技術の発展やデジタル放送技術の発展により、衛星や地上波によるテレビジョン放送においてデジタル圧縮された番組の放送が検討されており、ＣＳ放送において一部実用化されている。このデジタル放送では番組映像音声だけでなく任意のデジタル情報を伝送することが可能である。その一つの応用として放送中や放送予定の番組の開始時刻や内容説明などの番組情報を伝送し、この情報を用いて利用者が番組選択や記録予約等を行うことの出来る電子番組ガイド（ＥＰＧ）が実用化されている。
【０００３】
一方、ハードディスクドライブに代表されるランダムアクセス可能な記憶媒体の性能向上により、地上波や衛星放送などのテレビジョン放送番組の数時間から数十時間のデジタル圧縮映像を大容量の記録媒体に記録蓄積し再生することのできる番組記録再生装置が実用化されつつあり、一般にホームサーバとも呼ばれている。このホームサーバは前述のデジタル放送時代においてポストＶＴＲ（ビデオテープレコーダ）として期待されており、利用者がホームサーバを操作するために電子番組ガイドが重要になると考えられている。
【０００４】
【発明が解決しようとする課題】
しかしながら、従来の電子番組ガイドは放送番組だけを考慮したものであり、記録番組の操作には利用できないという問題がある。
【０００５】
記録番組の操作に関して従来のＶＴＲでは、どのような番組がどのような順序で記録されているかといった記録予約の情報をビデオテープの所要の領域に記憶しておくことで、利用者が容易に所望の記録番組を探し出せる機能があり、この機能は一般にナビゲーション機能やライブラリ機能と呼ばれている。しかしこれらの機能は電子番組ガイドとは全く独立した機能で、その操作感や操作体系は電子番組ガイドのそれらと異なっている。したがって単純に電子番組ガイドとナビゲーション機能とを統合するだけでは、利用者にとって使い勝手の良くない操作体系しか提供できないことが予想される。
【０００６】
また、この問題を解決するため、使い勝手のよい電子番組ガイドを得ることを目的とした技術として、特開平１０−４２２４２号公報に記載されている技術が知られている。この技術は、利用者は、まず放送番組か記録媒体に記録された記録番組のどちらかを表示／操作するのかを選択し（ｃｈａｎｎｅｌ  ｎａｖｉｇａｔｅ／ｔａｐｅ  ｎａｖｉｇａｔｅ）、その後、一定の表示／操作フォーマットで、放送番組と記録番組のどちらかを取り扱うようにしているが、結局は、利用者が放送番組を見たいのか記録番組を見たいのかを選択する必要があり、利用者にとって使い勝手の良くない操作体系しか提供できていない。
【０００７】
本発明は以上の問題を鑑みてなされたものであり、従来の電子番組ガイドの表示や操作体系を拡張して、放送番組と記録番組とを区別なく表示し操作できる電子番組ガイドを備えた番組記録再生装置及び方法並びに番組記録再生プログラムを記録したコンピュータ読み取り可能な記録媒体を提供することを目的とする。
【０００８】
【課題を解決するための手段】
本発明の番組記録再生装置は、放送番組情報を放送波から抽出し管理する放送番組情報管理手段と、記録済み番組や記録予約番組をその番組情報とともに記録し管理する記ん録番組情報管理手段と、前記放送番組情報と前記記録番組情報に基づく番組表を表示し、利用者による番組選択や予約などの操作を可能にする番組ガイド表示手段とを備えることにした。
【０００９】
そして、前記番組ガイド表示手段は、前記記録番組情報から構成される仮想的なチャンネルを生成し、それを前記放送番組情報における一つのチャンネルに見立てて放送チャンネルと同様に表示し操作可能であるようにした。
【００１０】
さらに、前記番組ガイド表示手段は、前回再生を終了したときの記録番組とその時間位置を記憶し、前記の仮想的なチャンネルを表示する際にその仮想的なチャンネルにおける前回再生終了時の前記記録番組の前記時間位置を、放送チャンネル表示における現在時刻と合わせることにした。
【００１１】
【発明の実施の形態】
以下に本発明の実施の形態について図面を用いて説明する。
【００１２】
図１は本発明の実施の形態におけるデジタル放送波に対応した番組記録再生装置を実現するハードウェア構成の一例を示している。この図では、実線はデータの流れを、破線は制御の流れを主に示している。
【００１３】
衛星波や地上波等のアンテナで受信された放送波や、ケーブル等の有線ネットワークから受信された放送データ（以下、衛星波、地上波、ケーブルなどをから受信される情報を放送波と称する。）は、チューナ１０１に供給されシステムコントローラ１０９によって制御されたチャンネルに選局される。選局されたチャンネルのデジタル信号は一般に情報が多重化されているため、デマルチプレクサ１０２により番組映像音声データやＥＰＧ情報などの要素に分離される。この分離された情報のうち、デジタル圧縮された番組映像音声データは、放送番組視聴時にはセレクタ１０５に直接送られ、番組記録時にはシステムコントローラ１０９の制御によりデータストレージ１０４に供給され蓄積され、さらに番組再生時にはシステムコントローラ１０９の制御によりデータストレージ１０４から番組映像音声データが読み出され、セレクタ１０５に送られる。データストレージ１０４はハードディスクに代表される磁気ディスク装置やＤＶＤに代表される光ディスク装置、光磁気ディスク装置等を用いて構成されることが考えられるが、これら以外のストレージ手段を用いて構成しても良い。セレクタ１０５から得られた番組映像音声データはデジタルデコーダ１０６を利用して映像と音声に復号され、さらに映像についてはＯＳＤ（オンスクリーンディスプレイ）１０７でシステムコントローラ１０９が制御するＥＰＧ表示操作画面と重畳される。
【００１４】
また、デマルチプレクサ１０２で分離されたＥＰＧ情報はＥＰＧ管理部１０３に送られ、利用者の番組選択や記録予約などの際にシステムコントローラ１０９によって表示／操作される。なお利用者の操作は、本装置の全面パネルにある操作キーやリモートコントローラで構成される操作部１０８からシステムコントローラ１０９に伝えられる。
【００１５】
システムコントローラ１０９はソフトウェア処理機能の中核をなすマイクロコンピュータ、プログラムやデータを保持するランダムアクセスメモリやリードオンリメモリ、周辺装置をコントロールするためのＩ／Ｏコントローラ、記録時刻管理等のために現在時刻を維持するリアルタイムクロック等で構成されており、前述のように番組記録再生装置の各ハードウェアの制御を行って番組の記録再生動作や、利用者の記録予約や視聴番組選択などの処理を実現する。
【００１６】
なお、これまで説明した番組記録再生装置のハードウェア構成例は映像音声データとＥＰＧ情報が多重化されたデジタル放送を対象にした例であったが、例えばアナログ地上波においてＥＰＧ情報が垂直同期帰線期間に挿入されている（ＶＢＩ）ような放送を対象にしてもよく、この場合の構成例としてはアナログ映像音声をデジタル圧縮するエンコーダをチューナ１０１の後段に付加し、ＶＢＩのＥＰＧ情報を復号する装置を付加してＥＰＧ管理部１０３にＥＰＧ情報を入力するような構成にすればよい。
【００１７】
次に本実施の形態における番組記録再生装置の操作部１０８の一例であるリモートコントローラのボタン配置（本実施例での操作の説明で必要な部分のみ）の一例を図２に示し、各ボタンの機能を本番組記録再生装置の動作モードの概略と共に説明する。
【００１８】
本実施の形態における番組記録再生装置は大別して以下に列挙する４つの動作モードからなっている。なお本番組記録再生装置ではプライベートチャンネルという機能が特徴的であり、これは記録済み番組や記録予約番組が並べられ、後述する番組表モードにおいて、チャンネルに見立てて放送チャンネルとともに表示される。
【００１９】
放送視聴モード：チューナ１０１で選局されたチャンネルの現在放送されている番組を視聴するためのモードである。このモードではチャンネルアップ／ダウンボタン（図示せず）やテンキーボタン（図示せず）などにより選局チャンネルを変更することができる。
【００２０】
番組表モード：ＥＰＧ管理部１０３のＥＰＧ情報に基づき、現在放送中や放送予定の番組に関する番組を表形式に表示し、さらにプライベートチャンネルの情報も前記放送番組表と併せて表示する。プライベートチャンネルには記録済み番組や記録予約番組が並べられており、番組表モードではそれらがプライベートチャンネルというひとつのチャンネルにおいて放送チャンネルの番組表と同じ形式で表示／操作される。番組表ボタン１２１を押下することでこのモードに移行し、上下左右の各ボタン１２４，１２５，１２６，１２７の押下により番組を選択するカーソルを操作する。また、決定ボタン１２８や再生ボタン１２９や記録ボタン１３４の押下により放送番組の視聴や記録番組の再生、記録予約を行う。
【００２１】
プライベートチャンネル一覧モード：システムコントローラ１０９が管理する記録済み番組や記録予約番組の情報に基づき、それらの番組の一覧を表示する。プライベートチャンネルボタン１２２を押下することでこのモードに移行し、上下左右の各ボタン１２４，１２５，１２６，１２７の押下によりプライベートチャンネル中の番組を選択するカーソルを操作する。また決定ボタン１２８か再生ボタン１２９の押下により選択した記録済み番組を再生する。
【００２２】
再生視聴モード：データストレージ１０４に蓄積されている記録済み番組を再生し視聴するためのモードである。このモードでは巻き戻し再生ボタン１３１や早送り再生ボタン１３２や一時停止ボタン１３３の押下により、それに応じた特殊再生が行われ、情報ボタン１２３の押下により現在再生されている番組の情報が番組映像に重畳される。また、停止ボタン１３０の押下により記録済み番組の再生は終了する。
【００２３】
次に本発明の実施の形態での番組記録再生装置の番組表モードにおける画面構成について、図３を用いて説明する。このモードでは放送番組と記録番組を区別なく選択し視聴することができる。番組表画面１５１は、各放送チャンネルの番組表である放送番組表１５６と記録済み番組や記録予約番組が並べられたプライベートチャンネルを表示するプライベートチャンネル行１５７が主要な構成要素であり、他に選択番組の小画面映像を表示する小画面映像部１５２、現在のモードを示すモードタイトル１５３、現在時刻表示部１５４、選択番組の内容などを表示する番組情報表示部１５５などから構成される。
【００２４】
放送番組表１５６では、ＥＰＧ管理部１０３が保持するＥＰＧ情報に基づき、各放送チャンネルについて指定された時刻にて放送中や放送予定の番組がセルとして、その番組の開始・終了時刻に合わせて表形式で示されている。番組セルにはその番組のタイトルが表示される。本実施例では放送番組表１５６の横軸が時刻であり、縦軸がチャンネルに対応する。図３では、番組表の日付は日付表示部１５９に表示されるように１２月１１日であり、この番組表には１２月１１日の午後６：００台から午後８：００台までの各チャンネルの番組が表示されている。第一行目の放送チャンネル行１５８は午後６：００から午後７：００まで「首都圏ニュース．．．」と表示されており「首都圏ニュース」で始まるタイトルの番組が放送されることを示している。ここでは番組タイトルが入りきらない場合は、収まるようにタイトル名を切り捨てて「．．．」を付加するようにしている。
【００２５】
さらに放送番組表１５６には表示範囲内に現在時刻が含まれている場合、現在時刻を表す現在時刻線１６１が表示されており、この線に重なっている番組は現在放送されている番組であることがわかる。また番組が番組表の表示範囲をまたぐ場合は、継続マーク１６３がその番組セルの前後に表示されている。
【００２６】
プライベートチャンネル行１５７はプライベートチャンネルの記録済み番組や記録予約番組が、その番組の長さ（記録時間）放送番組表の時間長（単位）に合わすようにして、プライベートチャンネルでの番組列順に並べて表示される。セルの内容は放送番組表１５６と同様にプライベートチャンネルの記録済み番組や記録予約番組のタイトルである。
【００２７】
放送番組表１５６およびプライベートチャンネル１５７の各番組を選択し視聴や予約などの操作するために番組セルの周囲を囲み選択されていることを示すための番組選択カーソル１６２が表示されている。番組選択カーソル１６２は操作部１０８を介して利用者に操作される。
【００２８】
放送番組表１５６およびプライベートチャンネル行１５７の全体的な表示方法の概念を、図７を用いて説明する。図７において２０１は番組表モードにおける放送番組表１５６およびプライベートチャンネル行１５７の表示例を示している。このうち放送番組表１５６には、図７の右に示すように放送番組表全体２０３のうちの番組選択カーソル１６２を含む選択範囲部分２０２が表示される。さらに番組選択カーソル１６２の操作により放送番組表全体２０３における選択範囲２０２の位置が変化する。
【００２９】
一方、図７の下部（ＣｈＰ）に示すようにプライベートチャンネル２０４には記録済み番組や記録予約番組が並んでいるが、それらの番組はリアルタイムな放送ではないので、プライベートチャンネル行１５７として放送番組表１５６と併せて表示する際には放送番組の時刻との対応付けを行わなければいけない。そこで図７に示すように、本実施例ではプライベートチャンネル２０４を記録済み番組や記録予約番組が記録日時順に並ぶ一つの仮想的なテープと捉え、そのテープの現在ポジション２０５を一つだけ決め、その現在ポジションと放送番組表における現在時刻線１６１に合わせるようにして表示する。図３の例では「映画１」というタイトルの番組の一点に現在ポジションがあり、これが現在時刻線１６１に合わせて表示されている。ただし、記録予約番組は番組が放送されてから（記録が開始されてから）しか視聴できないので、記録予約番組のセル表示位置の決定方法は記録済み番組のそれとは異なっている。これに関しては後述する。
【００３０】
本実施例ではプライベートチャンネルの現在ポジションは、最後に再生を終了したプライベートチャンネル中の記録済み番組の再生終了位置である。これはＶＴＲにおいて再生終了したテープ位置が保持されることと同じように捉えることができ、利用者が理解しやすい。
【００３１】
また、本実施例では図７のように放送番組表１５６とプライベートチャンネル行１５７が分離しているが、放送番組表全体２０３の最上部または最下部にプライベートチャンネル２０４が存在し、プライベートチャンネルを放送チャンネルの一つとして融合させて表示する方法も考えられる。この場合は、放送チャンネルと同様に、プライベートチャンネル２０４が選択範囲に含まれる場合にのみ、番組表画面に表示される。
【００３２】
次に番組選択カーソル１６２の操作を中心に、本発明の第１の実施の形態における番組表モードの動作を図１０に示すフローチャートを用いて説明する。番組表ボタン１２１の押下により他のモードから番組表モードに移行すると図１０のフローチャートにしたがって処理が進む。まずステップＳ１０１では番組表の初期画面として表示するチャンネルと時間帯を決定する。ここでは放送視聴モードから移行してきた場合は視聴していた放送番組に番組選択カーソル１６２があるように、図７の選択範囲２０２を選ぶ。また、プライベートチャンネル一覧モードや再生視聴モードから移行してきた場合は、プライベートチャンネルの現在ポジションがある記録済み番組に番組選択カーソル１６２があるように選択範囲２０２を選ぶ。ステップＳ１０２およびＳ１０３で放送番組表１５６とプライベートチャンネル行１５７をこれまで説明したような形態で表示する。ステップＳ１０４で番組選択カーソル１６２を表示し、カーソルのある番組の内容などの番組情報を番組情報表示部１５５に表示する。さらにＳ１０５でカーソルのある番組が放送中の番組であればそのチャンネルを選局して、また記録済みの番組であればその番組を再生して、その映像を小画面映像部１５２に表示しその番組の音声も出力する。
【００３３】
次にステップＳ１０６で操作部１０８の入力を受け付け、入力ボタンの押下に応じて処理を行う。上ボタン１２４、下ボタン１２５、左ボタン１２６、右ボタン１２７の各ボタンが押された場合（Ｓ１０７）、番組選択カーソル１６２をそのボタンの意味する方向に移動する。なお本実施例では図７のようにプライベートチャンネル行２０４が放送番組表全体２０３の下に位置するようなイメージであるため、最下行の放送チャンネルに番組選択カーソル１６２があり、さらに下ボタン１２５が押されるとプライベートチャンネル行１５７に番組選択カーソル１６２が移動する。また、逆にプライベートチャンネル行１５７に番組選択カーソル１６２がある場合、上ボタン１２４が押されると、最下行の放送チャンネルに番組選択カーソル１６２が移動する。
【００３４】
録画ボタン１３４が押された場合（Ｓ１０８）、番組選択カーソル１６２のある番組の種類に応じた処理が行われる。その処理内容は表１に示しており、カーソルの指す番組が放送中であればその番組の記録を開始し、未放送（将来放送予定）の番組であればその記録予約を行う。番組記録時は番組の映像音声の記録とともにＥＰＧ管理部１０３で管理されているその番組の番組情報も同時に記録する。この番組情報に基づきプライベートチャンネルが構成される。
【００３５】
取消ボタン１３５が押された場合（Ｓ１０９）、表１に示すように番組選択カーソル１６２が記録予約番組を指していればその記録予約を取り消し、それ以外を指していればなにもしない。
【００３６】
再生ボタン１２９が押された場合（Ｓ１１０）、表１に示すように番組選択カーソル１６２が記録済み番組を指している場合のみ、その番組を再生終了位置（後述）から再生し、それ以外の番組を指していればプライベートチャンネルの現在ポジションにある記録済み番組を現在ポジションの指す時間位置から再生する。再生は再生視聴モードで行われる（Ｓ１１２）。
【００３７】
決定ボタン１２８が押された場合（Ｓ１１１）、表１に示すように番組選択カーソル１６２が放送中の番組であればその番組を視聴する放送視聴モードへ移行し、記録済み番組であればその番組の再生終了線（後述）から再生を行い再生視聴モードに移行する（Ｓ１１３）。
【００３８】
番組表ボタン１２１が押された場合（Ｓ１１４）、現在の番組表モードの前モードをプライベートチャンネル一覧モードと番組表モードを除いてサーチし、前モードが放送視聴モードなら放送視聴モードに、再生視聴モードなら再生視聴モードに戻る。
【００３９】
プライベートチャンネルボタン１２２が押された場合（Ｓ１１５）、プライベートチャンネル一覧モードに移行する。
【００４０】
次に、番組表モードでの操作における画面例を、図面を用いて具体的に説明する。図４は記録予約が行われた場合の番組表モードの画面を示している。この図では番組選択カーソル１６２が放送チャンネル行１５８の午後８：００から始まる「ドラマＡ」を指しており、録画ボタン１３４を押して記録予約が行われた状態にある。カーソルの位置に合わせて、番組情報表示部には「ドラマＡ」の内容が表示され、小画面映像部１５２は放送予定番組なので何も表示されない。
【００４１】
記録予約が行われた番組セルには記録予約マーク１６４が表示されるとともに、その予約内容がプライベートチャンネル行１５７にも表示される。なおこの画面では、プライベートチャンネルの記録済み番組の列は記録ポジションの位置により「アニメ２」までであり、「ドラマＡ」の記録予約開始時刻の午後８：００以前にある。したがってプライベートチャンネルにおいて記録日時順で単純に番組セルの連続列を構成すると、「ドラマＡ」が記録開始時刻以前の「アニメ２」の直後に位置することになり不自然である。そこで、記録予約番組の位置は、記録日時順に連続列にした際の位置と記録予約開始時刻の位置とを比較し、より後の位置になる方を選ぶようにする。図４の「ドラマＡ」では記録予約開始時刻の方が後になるので、その位置で表示している。
【００４２】
図５は図４の状態からさらに右に番組選択カーソル１６２を移動させた状態を示している。この図ではカーソルが午後９：００から始まる「ニュース９」を指しており、この部分が表示範囲となるように午後７：００台から午後９：００台の部分が表示されている。この例での現在時刻は午後６：４０なので現在時刻線１６１は表示されておらず、現在時刻線１６１に現在ポジションが合わさっているプライベートチャンネル行１５７も放送番組表１５６と同様に図４と比べてずれて表示されている。
【００４３】
図６は図４の状態から番組選択カーソル１６２を下に移動し、プライベートチャンネルの番組を指している状態を示している。本実施例では、プライベートチャンネルは放送番組表全体の下に位置するようなイメージで捉えるため、図６の放送番組表１５６の最下行は放送番組表全体の最下行チャンネル「チャンネル４」が表示されるまで、図７の選択範囲２０２が移動している。また、番組情報表示部には番組選択カーソル１６２のある記録済み番組「映画１」に関する情報が表示されており、小画面映像１５２には「映画１」の再生画像が表示される。
【００４４】
次に本発明の実施の形態での番組記録再生装置のプライベートチャンネル一覧モードにおける画面構成について、図８を用いて具体的に説明する。このモードではプライベートチャンネルの記録済み番組や記録予約番組の一覧を閲覧し記録済み番組の再生などを行うことができる。図８は、番組表モードが図３で示されるような内容であるときに対応する、プライベートチャンネル一覧モードの画面構成を示している。
【００４５】
図８において、プライベートチャンネル一覧画面１７１の上部は図３の番組表画面１５１の上部と同様の構成となっている。プライベートチャンネルの記録済み番組、記録予約番組の一覧表がプライベートチャンネル一覧表１７６に表示される。本実施例では各番組は記録日時順に並んでいる。プライベートチャンネル一覧表１７６は次の各領域から構成される。すなわち、各番組について番組の記録日を表示する記録日表示領域１７７、記録開始時刻を表示する記録開始時刻表示領域１７８、記録終了時刻を表す記録終了時刻表示領域１７９、チャンネルを表示するチャンネル表示領域１８０、タイトルを表示するタイトル表示領域１８１、および番組の再生履歴や記録予約の状態を示す録再状況表示領域１８２である。さらに、プライベートチャンネル一覧表１７１の番組を選択するための番組選択カーソル１８３、プライベートチャンネルの現在ポジションのある番組を指す現在ポジションマーク１８４がある。
【００４６】
録再状況表示領域１８２には、その番組が記録済み番組であれば再生履歴グラフ１８５が、記録予約番組であれば記録予約マーク１６４（図９）が表示される。再生履歴グラフ１８５は、その記録済み番組をどこまで再生したか、また前回再生を終了したのがどの位置であるかという再生履歴を視覚的に表現したグラフである。再生履歴グラフ１８５の構成要素は、その番組の全体長（記録時間）を１として、これまでに一度でも再生した部分の割合を表す再生済みバー１８６と、前回終了した位置を示す再生終了線１８７である。例えば、図８のプライベートチャンネル一覧表１７６の２行目の番組の再生履歴グラフ１８５では、再生済みバー１８６の長さから番組の最初から７５％程度のまで再生済みであり、つまり番組長が３時間弱であるから最初から２時間１５分ほどまで再生したことが分かる。また、再生終了線１８７も番組の最初から７５％程度にあることから、最初から２時間１５分ほどの位置で前回の再生を終了したことが分かる。
【００４７】
また図９のプライベートチャンネル一覧画面１７１は、番組表が図４の状態にある時に対応している。番組表画面１５１の操作において「ドラマＡ」が記録予約されたことによって、図９のプライベートチャンネル一覧画面１７１においても「ドラマＡ」が記録日時順にしたがってプライベートチャンネル一覧表１７６の最後に追加されており、録再状況表示領域１８２には記録予約マーク１６４が表示される。
【００４８】
現在ポジションマーク１８４はプライベートチャンネルの現在ポジションが存在する番組に対して表示される。プライベートチャンネルの現在ポジションはプライベートチャンネル全体で前回再生を終了した位置を示す。すなわち前回再生を終了したときの再生番組に現在ポジションマーク１８４が存在し、その番組の再生終了線１８７のある位置が、プライベートチャンネルの現在ポジションとなる。
【００４９】
次に、番組選択カーソル１８３の操作を中心に、プライベートチャンネル一覧モードにおける操作を図１１のフローチャートを用いて説明する。プライベートチャンネルボタン１２２の押下により他のモードからプライベートチャンネル一覧モードに移行すると図１１のフローチャートにしたがって処理が進む。まずステップＳ１２１でプライベートチャンネル中の記録済み番組と記録予約番組をプライベートチャンネル一覧表１７６として表示する。本実施例では記録日時順に上から下に並べる。また、現在ポジションマーク１８４も表示する。
【００５０】
ステップＳ１２２では番組選択カーソル１８３および、カーソルのある番組の内容等を示す番組情報を番組情報表示部１７５に表示する。番組選択カーソル１８３の初期位置は現在ポジションマーク１８４のある番組である。ステップＳ１２３では番組選択カーソル１８３のある番組が記録済み番組であれば、番組再生してその映像を小画面映像部１７２に表示するとともに音声も出力する。
【００５１】
次にステップＳ１２４でボタン入力を検知し、押されたボタンに応じた処理を行う。上ボタン１２４、下ボタン１２５、左ボタン１２６、右ボタン１２７の各ボタンが押された場合、ステップＳ１２５において番組選択カーソル１８４をそのボタンの意味する方向に移動し、ステップＳ１２１に戻る。再生ボタン１２９または決定ボタン１２８が押された場合、ステップＳ１２６において選択カーソル１８４のある番組が記録済み番組ならその番組を再生するために再生視聴モードへ移行する（Ｓ１２７）。
【００５２】
プライベートチャンネルボタン１２２が押された場合、現在のプライベートチャンネル一覧モードの前モードを、プライベートチャンネル一覧モードと番組表モードを除いてサーチし、前モードが放送視聴モードなら放送視聴モードに、再生視聴モードなら再生視聴モードに戻る（Ｓ１２８）。番組表ボタン１２１が押された場合、番組表モードへ移行する（Ｓ１２９）。
【００５３】
次に、本発明の実施の形態における再生視聴モードについて説明する。再生視聴モードは記録済み番組を再生するモードであり、番組が画面全体に表示されて再生される。再生視聴モードにおける動作を図１２のフローチャートを用いて説明する。再生視聴モードに移行すると、図１２のフローチャート「再生視聴モード」にしたがって処理が行われる。まずステップＳ１３１で指定された記録済み番組を通常再生し画面全体に表示および音声の出力を行う。ステップＳ１３２でボタン入力を検知し、押されたボタンに応じて処理を行う。巻き戻しボタン１３１、早送りボタン１３２、一時停止ボタン１３３が押されると（Ｓ１３２）、そのボタンに応じて巻き戻し再生、早送り再生、一時停止の特殊再生を実行し（Ｓ１３３〜１３５）ステップＳ１３２に戻る。
【００５４】
情報ボタン１２３が押されると、現在再生している番組に関する情報を出力する。図１２はその情報出力例であり、ここではプライベートチャンネル中のどのあたりを再生しているかということを示すプライベートチャンネル情報２０１が画面上部に出力されている。この情報は番組表画面１５１におけるプライベートチャンネル行１５７と同様の内容が表示されており、現在ポジション線２０２が現在再生している位置を表す。なお再生を終了する時点での現在ポジション線２０２の位置が、他のモードにおけるプライベートチャンネルの現在ポジションとなる。
【００５５】
図１２のフローチャートの説明に戻り、停止ボタン１３０か番組表ボタン１２１かプライベートチャンネルボタン１２２が押されるとステップＳ１３５において再生を停止し、ステップＳ１３６において再生していた番組の再生履歴を更新し、押されたボタンに応じて放送視聴モードか番組表モードかプライベートチャンネル一覧モードに戻る（Ｓ１３７）。
【００５６】
一方、番組再生中にその番組の最後まで再生した場合、図１２のフローチャート「番組終了」の処理が行われる。ステップＳ１４１において終了した番組の再生履歴を更新し、ステップＳ１４２において終了番組の次の記録済み番組があるかどうか調べる。次の番組とはプライベートチャンネルの並びにおける次の番組であり、本実施例では記録日時順における次の番組を意味する。ここで次の記録済み番組がある場合、ステップＳ１４３においてその番組を再生し、再生視聴モードに戻る（Ｓ１４４）。次の記録済み番組がない場合、ステップＳ１４５において、放送視聴モードに移行する。
【００５７】
以上に述べた実施の形態では、記録日時順にプライベートチャンネル中の記録番組を並べていたが、記録番組の再生履歴を用いて並べてもよい。すなわち、再生履歴によって既再生か未再生に記録番組を分離し、プライベートチャンネル一覧の上部（番組表のプライベートチャンネルの左側）に既再生番組群を、下部に未再生番組群を配置する。さらに既再生番組群内は前回再生日時の古いもの順に、未再生番組は記録日時の古いもの順に並べ、プライベートチャンネルの現在ポジションは前述の実施例と同様に前回再生した番組の再生終了位置とする。こうすると、現在ポジションは既再生番組群の、未再生番組群に接する番組に存在することになり、番組表においても現在ポジションより左は既に一度でも再生した番組、現在ポジションの次の番組より右はまだ見ていない番組が並ぶ。これは番組表においても時間軸が左から右に進むことと直感的に合致するため分かりやすい。
【００５８】
また、以上に述べた実施の形態ではプライベートチャンネルの数は一つであったが、複数あってもよい。この場合は、例えば単純にプライベートチャンネル行を複数行にすることや、ジャンルや利用者名などにより複数のプライベートチャンネルのうち一つだけを選択し、表示と操作ができるようにするなどの形態が考えられる。
【００５９】
また、本発明の番組記録再生装置をコンピュータによって実施するため、例えば上記した実施の形態の構成においては、コンピュータに、上記した機能を実行するコンピュータプログラムを作成し、そのコンピュータプログラムをＣＤ−ＲＯＭやフロッピーディスクや半導体メモリに代表される記録媒体に記録しておき、コンピュータ側では、このプログラムが記録された記録媒体を読み出すことにより、コンピュータに上記各機能を生成するようにすれば、本発明の実施の形態に記載された機能をコンピュータによって構築することができる。また、このコンピュータプログラムは、例えばサーバ内の記録装置に記録されている形態でもかまわなく、ネットワークを介し提供される形態でもかまわない。
【００６０】
【発明の効果】
本発明の実施の形態では、番組表において記録済み番組や記録予約番組から構成されるプライベートチャンネルによって一つのチャンネルとして、他の放送チャンネルと同様に区別なく操作することができるので、利用者が記録番組を効率よく操作することができ、取り扱いが容易な番組記録再生装置を提供することができる。
【図面の簡単な説明】
【図１】本発明の実施の形態における番組記録再生装置のハードウェア構成の一例を示すブロック図である。
【図２】本発明の実施の形態における番組記録再生装置のリモートコントローラのボタン配置例の一部を示す平面図である。
【図３】本発明の実施の形態における番組記録再生装置の番組表モードの画面構成例を示す説明図である。
【図４】本発明の実施の形態における番組記録再生装置の番組表モードの画面構成例（録画予約）を示す説明図である。
【図５】本発明の実施の形態における番組記録再生装置の番組表モードの画面構成例（カーソル移動）を示す説明図である。
【図６】本発明の実施の形態における番組記録再生装置の番組表モードの画面構成例（プライベートチャンネル操作）を示す説明図である。
【図７】本発明の実施の形態における番組記録再生装置の番組表モードの画面構成の概念を示す説明図である。
【図８】本発明の実施の形態における番組記録再生装置のプライベートチャンネル一覧モードの画面構成例を示す説明図である。
【図９】本発明の実施の形態における番組記録再生装置のプライベートチャンネル一覧モードの画面構成例（録画予約）を示す説明図である。
【図１０】本発明の実施の形態における番組記録再生装置の番組表モードの処理手順を示すフローチャートである。
【図１１】本発明の実施の形態における番組記録再生装置のプライベートチャンネル一覧モードの処理手順を示すフローチャートである。
【図１２】本発明の実施の形態における番組記録再生装置の再生視聴モードの処理手順を示すフローチャートである。
【図１３】本発明の実施の形態における番組記録再生装置の番組視聴モードの画面構成例を示す説明図である。
【符号の説明】
１０１  チューナ
１０２  デマルチプレクサ
１０３  ＥＰＧ管理部
１０４  データストレージ
１０５  セレクタ
１０６  デジタルデコーダ
１０７  ＯＳＤ
１０８  操作部
１０９  システムコントローラ
１２０  リモートコントローラ（一部）
１２１  番組表ボタン
１２２  プライベートチャンネルボタン
１２３  情報ボタン
１２４  上ボタン
１２５  下ボタン
１２６  左ボタン
１２７  右ボタン
１２８  決定ボタン
１２９  再生ボタン
１３０  停止ボタン
１３１  巻き戻しボタン
１３２  早送りボタン
１３３  一時停止ボタン
１３４  記録ボタン
１３５  取消ボタン
１５１  番組表画面
１５２  小画面映像部
１５３  モードタイトル
１５４  現在時刻表示部
１５５  番組情報表示部
１５６  放送番組表
１５７  プライベートチャンネル行
１５８  放送チャンネル行
１５９  日付表示部
１６０  列時刻表示部
１６１  現在時刻線
１６２  番組選択カーソル
１６３  継続マーク
１７１  プライベートチャンネル一覧画面
１７２  小画面映像部
１７３  モードタイトル
１７４  現在時刻表示部
１７５  番組情報表示部
１７６  プライベートチャンネル一覧表
１７７  記録日表示領域
１７８  記録開始時刻表示領域
１７９  記録終了時刻表示領域
１８０  チャンネル表示領域
１８１  タイトル表示領域
１８２  録再状況表示領域
１８３  番組選択カーソル
１８４  現在ポジションマーク
１８５  再生履歴グラフ
１８６  再生済みバー
１８７  再生終了線
２０１  プライベートチャンネル情報
２０２  現在ポジション線
【図１】
0003551824.tif 000002
【図２】
0003551824.tif 000003
【図３】
0003551824.tif 000004
【図４】
0003551824.tif 000005
【図５】
0003551824.tif 000006
【図６】
0003551824.tif 000007
【図７】
0003551824.tif 000008
【図８】
0003551824.tif 000009
【図９】
0003551824.tif 000010
【図１０】
0003551824.tif 000011
【図１１】
0003551824.tif 000012
【図１２】
0003551824.tif 000013
【図１３】
0003551824.tif 000014